(57)【特許請求の範囲】
【請求項１】
下部ケースと上部ケースとよりなるハウジング内に出入可能に設置されたトレーの往復移動をガイドするための光ディスクドライブのトレーガイド構造体において、
前記下部ケースの両側に各々摺動可能に設置されるガイドレールと、
前記ガイドレールがその往復移動経路を離脱しないように支持するために前記下部ケースの両側に各々設けられるガイドレール支持手段と、
前記トレーの両側にその往復移動方向に長く形成され、前記ガイドレールに摺動可能に結合されるレール結合部と、
前記トレーが前記ハウジングから離脱しないように前記ガイドレールと前記トレーの取出し方向の移動距離を制限する前方移動距離の制限手段と、
前記トレーが前記ハウジング内に挿入された状態で前記トレーを各々垂直方向と水平方向とに拘束して前記トレーの垂直及び水平方向の動きを防止する垂直拘束手段と水平拘束手段とを具備し、
前記ガイドレールは、前記レール結合部を収容する形状を有して前記レール結合部に摺動可能に接触されるレールと、前記レールの外側に固定結合されて前記下部ケースに摺動可能に接触されるレールカバーとが、二重構造とされた構成とし、
かつ、前記レールカバーに前記垂直拘束手段と水平拘束手段とが突出形成されることを特徴とする光ディスクドライブのトレーガイド構造体。
【請求項２】
前記ガイドレール支持手段は、
前記ガイドレールの上面に接触される複数の上面支持板と、前記ガイドレールの一側面に接触される複数の側面支持板を含むことを特徴とする請求項１に記載の光ディスクドライブのトレーガイド構造体。
【請求項３】
前記レールは金属プレス物よりなり、前記レールカバーはプラスチック射出物よりなることを特徴とする請求項１に記載の光ディスクドライブのトレーガイド構造体。
【請求項４】
前記レールと前記レールカバーは、前記レールカバーの内面にその長さ方向に所定間隔をおいて突設された複数のラッチと、前記レールに形成されて前記複数のラッチが各々一つずつ挿入される複数のラッチホールとにより結合されることを特徴とする請求項１に記載の光ディスクドライブのトレーガイド構造体。
【請求項５】
前記レールと前記レールカバーは接着剤により互いに接着されることによって結合されることを特徴とする請求項１に記載の光ディスクドライブのトレーガイド構造体。
【請求項６】
前記前方移動距離の制限手段は、
前記レールの前端部に前記レールの下板から所定高さ突設されて前記トレーがディスク着脱位置に至れば、前記レール結合部の後端部内に突設された係止片がかかることによって前記トレーの前方移動距離を制限する第１ストッパーと、前記レールカバーの上面に突出して前記ガイドレールが前方に所定距離移動すれば、前記ガイドレール支持手段にかかることによって前記ガイドレールの前方移動距離を制限する第２ストッパーとを具備することを特徴とする請求項１に記載の光ディスクドライブのトレーガイド構造体。
【請求項７】
前記ガイドレールの後端部には、前記トレーが後方に移動する時に前記トレーのレール結合部の後端を止めて前記ガイドレールも共に移動させるための第３ストッパーが設けられることを特徴とする請求項６に記載の光ディスクドライブのトレーガイド構造体。
【請求項８】
前記第２ストッパーと前記第３ストッパーとは、プラスチック射出物で一体に形成されて前記ガイドレールの後端部に組立てられることを特徴とする請求項７に記載の光ディスクドライブのトレーガイド構造体。
【請求項９】
前記垂直拘束手段は、
前記レールカバー後端部に設けられる第１弾性板の上面に突設された第１垂直突起と、
前記下部ケースの背壁に前方に突設され、前記トレーが前記ハウジングに挿入された状態で前記第１垂直突起と接触して前記第１垂直突起を下方に押す第１支持板とを具備することを特徴とする請求項１に記載の光ディスクドライブのトレーガイド構造体。
【請求項１０】
前記第１弾性板は前記レールカバーの上板幅より狭い幅で後方に所定長さ延びることによって形成され、前記第１支持板は前記下部ケースの背壁の一部を前方に折曲することによって形成されることを特徴とする請求項９に記載の光ディスクドライブのトレーガイド構造体。
【請求項１１】
前記垂直拘束手段は、
前記ガイドレールの前記レールカバー前端部に設けられる第２弾性板の底面に下方に突設され、前記トレーが前記ハウジングに挿入された状態で前記レール結合部の前端部の上面を押す第２垂直突起をさらに具備することを特徴とする請求項９に記載の光ディスクドライブのトレーガイド構造体。
【請求項１２】
前記垂直拘束手段は、前記レール結合部前端部の上面に突設されて前記第２垂直突起と相接する第３垂直突起をさらに具備することを特徴とする請求項１１に記載の光ディスクドライブのトレーガイド構造体。
【請求項１３】
前記第２弾性板は、前記レールカバーの上板幅より狭い幅で前方に所定長さ延びることによって形成されることを特徴とする請求項１２に記載の光ディスクドライブのトレーガイド構造体。
【請求項１４】
前記垂直拘束手段は、
前記トレーの後端部上面に突設された第１支持突起と、前記上部ケースの後端部底面に下方へ突設されて前記トレーが前記ハウジング内に挿入された状態で前記第１支持突起と相接する第２支持突起とをさらに具備することを特徴とする請求項９に記載の光ディスクドライブのトレーガイド構造体。
【請求項１５】
前記第１支持突起は少なくとも前記トレーの両側端部に隣接した部位に各々一つずつ設けられ、前記第２支持突起も前記第１支持突起と対応する部位に各々一つずつ設けられることを特徴とする請求項１４に記載の光ディスクドライブのトレーガイド構造体。
【請求項１６】
前記水平拘束手段は、
前記下部ケースの両側に設置された前記ガイドレールのうち少なくともいずれか一側のガイドレールのレールカバー後端部に設けられた第１弾性板の内面に突設されて、前記トレーが前記ハウジングに挿入された状態で前記トレーの後端部の外側面を押す第１水平突起を具備することを特徴とする請求項１に記載の光ディスクドライブのトレーガイド構造体。
【請求項１７】
前記水平拘束手段は、
前記下部ケースの両側に設置された前記ガイドレールのうち少なくともいずれか一側のガイドレールのレールカバー前端部に設けられた第２弾性板の内面に突設されて、前記トレーが前記ハウジングに挿入された状態で前記トレーの前端部の外側面を押す第２水平突起をさらに具備することを特徴とする請求項１６に記載の光ディスクドライブのトレーガイド構造体。
【請求項１８】
前記水平拘束手段は、
前記トレーの前端部外側面に突設されて前記第２水平突起と相接する第５水平突起をさらに具備することを特徴とする請求項１７に記載の光ディスクドライブのトレーガイド構造体。
【請求項１９】
前記水平拘束手段は、
前記少なくとも一側ガイドレールのレールカバー後端部に設けられた第３弾性板の外側面に突設された第３水平突起と、
前記下部ケースの少なくとも一側壁内に突設されて、前記トレーが前記ハウジングに挿入された状態で前記第３水平突起と接触して前記第３水平突起を内側に押す第２支持板とを含むことを特徴とする請求項１または請求項１６に記載の光ディスクドライブのトレーガイド構造体。
【請求項２０】
前記第３弾性板は前記レールカバーの側板幅より狭い幅で後方に所定長さ延びることによって形成され、前記第２支持板は前記下部ケースの側壁一部を内側に折曲することによって形成されることを特徴とする請求項１９に記載の光ディスクドライブのトレーガイド構造体。
【請求項２１】
前記水平拘束手段は、
前記少なくとも一側ガイドレールのレールカバー前端部に設けられた第４弾性板の外側面に突設されて、前記トレーが前記ハウジングに挿入された状態で前記下部ケースの側壁内面を押す第４水平突起をさらに含むことを特徴とする請求項１９に記載の光ディスクドライブのトレーガイド構造体。
【請求項２２】
前記第４弾性板は前記レールカバーの側板幅より狭い幅で前方に所定長さ延びることによって形成されることを特徴とする請求項２１に記載の光ディスクドライブのトレーガイド構造体。
【請求項２３】
前記下部ケースの一側壁に形成されたコンピュータ装着用ねじ孔と前記ガイドレールとの干渉を避けるために前記下部ケースの一側壁面には所定厚さのスペーサが付着されることを特徴とする請求項１に記載の光ディスクドライブのトレーガイド構造体。
【請求項２４】
前記スペーサは前記ねじ孔の突出高さよりさらに厚いプラスチック材料よりなることを特徴とする請求項２３に記載の光ディスクドライブのトレーガイド構造体。
【発明の詳細な説明】
【０００１】
【発明の属する技術分野】
本発明は光ディスクドライブに係り、より詳細にはスリム型光ディスクドライブの狭い空間にも容易に適用できるトレーガイド構造体に関する。
【０００２】
【従来の技術】
一般的に光ディスクドライブはＣＤ、ＤＶＤ等の記録媒体に光を照射して情報を記録するか記録された情報を再生する装置である。このような光ディスクドライブは主にコンピュータに採用され、特にノート型パソコンには非常に薄いスリム型光ディスクドライブが採用される。
【０００３】
図１には従来の光ディスクドライブの一例として特開平９−２２３３４７号に開示された光ディスクドライブが図示されており、図２と図３には各々図１に示された光ディスクドライブの左側と右側のトレーガイド構造が図示されている。
【０００４】
図１ないし図３を参照すれば、従来のスリム型光ディスクドライブは下部ケース１８と上部ケース１９とよりなるハウジング１０と、ハウジング１０に出入可能に設置されるトレー１２とを具備している。トレー１２にはメーンベース１６が結合されている。メーンベース１６にはディスクを回転させるためのスピンドルモータ２６と、回転するディスクに記録されたデータを再生するための光ピックアップユニット２３と、光ピックアップユニット２３をディスク半径方向に往復移送するための移送装置（図示せず）とが設置されている。このようにトレー１２にはスピンドルモータ２６と光ピックアップユニット２３とが設置されており、これらは共にハウジング１０に出入する。
そして、光ディスクドライブには前記のようなトレー１２の矢印Ａ及びＢ方向への往復移動をガイドするトレーガイド構造が備わっている。トレーガイド構造は、トレー１２の両側に形成されているレール結合部２９、３０と、レール結合部２９、３０に摺動可能に結合される摺動レール３１、３２と、下部ケース１８の両側すみに固定設置されて摺動レール３１、３２を摺動可能に支持する固定ガイド３３、３４とより構成されている。
【０００５】
左側トレーガイド構造の作動を説明すれば、図２に示されたように、トレー１２がハウジング１０から取出されると同時に摺動レール３１も固定ガイド３３に沿ってＡ方向に移動する。トレー１２がディスク交換位置に至れば、摺動レール３１の止め孔３１ｂに固定ガイド３３の止め金３３ａの突起部３３ｂが挿入されて摺動レール３１がそれ以上Ａ方向に移動できなくなる。
【０００６】
次いで、右側トレーガイド構造の作動を説明すれば、図３に示されたように、トレー１２が取出されると同時に摺動レール３２も固定ガイド３４に沿ってＡ方向に移動する。トレー１２がディスク交換位置に至れば、摺動レール３２の止め孔３２ｂに固定ガイド３４の止め金３４ａの突起部３４ｂが挿入されて摺動レール３２がこれ以上Ａ方向に移動できなくなる。
【０００７】
一方、ハウジング１０内部とトレー１２底面には、図示されていないが、トレー１２をハウジング１０内にロッキングするためのロッキング装置と、トレー１２をハウジング１０から取出すための取出し装置とが設置されており、トレー１２の前面ベゼル１５には取出し装置を作動させるための取出しボタン１４が設けられている。
【０００８】
このような構成を有するスリム型光ディスクドライブでディスクをローディングする場合には、トレー１２をハウジング１０の外に取出した後、ディスクをスピンドルモータ２６上に安着させた後でハウジング１０内部に押し入れる。それにより、ロッキング装置が作動してトレー１２がハウジング１０内部にロッキングされる。ディスクをアンローディングする場合には、取出しボタン１４を押せば取出し装置が作動してトレー１２をハウジング１０の外に押し出す。
【０００９】
ところで、前記従来のスリム型光ディスクドライブでは、摺動レール３１、３２はトレー１２がハウジング１０から取出された状態でトレー１２の大部分の荷重を支持するため、その強度を維持するために所定厚さ以上が確保されねばならない。また、下部ケース１８に固定設置される固定ガイド３３、３４も摺動レール３１、３２との摩擦騷音を減らすために通常プラスチック材料よりなるので、摺動レール３１、３２を支持するための形状を維持するために所定厚さ、例えば、約１ｍｍ以上の厚さが要求される。したがって、前記従来の光ディスクドライブは、トレーガイド構造上の強度維持のために必要な厚さによってこれ以上のスリム化に限界がある。
【００１０】
一方、固定ガイド３３、３４、摺動レール３１、３２及びトレー１２の両側レール結合部２９、３０は互いに摺動するため、これら各々の間には摺動のために多少の間隔が必要になる。ところで、このような間隔が存在すれば、ディスクとスピンドルモータ２６の回転により発生する振動及び外部衝撃によりトレー１２が上下左右に揺れる。このようにトレー１２が揺れれば、光ピックアップユニット２３によるデータ読出しにおいてエラーが発生するか振動騷音が発生する問題点がある。
【００１１】
図４Ａないし図４Ｃには、米国特許ＵＳ６，１５１，２８５号に開示されたトレーの揺れを防止する構造が図示されている。
【００１２】
まず図４Ａを参照すれば、シャーシ、すなわち、下部ケースの側壁４１にはローラ４５を有するホールディング部材４３の一端部が固定設置されている。ホールディング部材４３のアーム４６は板スプリングとして機能し、ローラ４５はトレー４２がＣとＤ方向に往復移動するにつれてトレー４２の側面４２ａに接触して回転する。示されたように、トレー４２がハウジング内に完全に挿入された状態ではローラ４５はトレー４２の側面前方に形成された凹部４２ｆに入り、これによりトレー４２のＣ方向移動が制限されるのでトレー４２の前後方向の揺れが防止される。また、ローラ４５はアーム４６の弾性力によりトレー４２の側面４２ａをＥ方向に加圧しているのでトレー４２の左右方向の揺れも防止される。
【００１３】
次いで図４Ｂを参照すれば、トレー４２をハウジングから取出す最中にはローラ４５はトレー４２の側面４２ａに接触して回転しながらトレー４２をＥ方向に加圧する。したがって、トレー４２の左右方向の揺れが防止される。
【００１４】
最後に図４Ｃを参照すれば、トレー４２がハウジングの外に完全に取出された状態ではローラ４５はトレー４２の側面後方に形成された凹部４２ｇに入り、これによりトレー４２のＤ方向移動が制限され、トレー４２の前後方向の揺れも防止される。また、ローラ４５はトレー４２の側面４２ａをＥ方向に加圧しているのでトレー４２の左右方向の揺れも防止される。
【００１５】
ところで、ホールディング部材４３はトレー４２の水平方向の揺れだけを抑制でき、垂直方向の揺れは抑制できない。また、ホールディング部材４３はトレー４２の往復移動をガイドするトレーガイド構造と干渉されないようにトレーガイド構造の上側に配置されるが、これは結局ディスクドライブ全体を薄くするのに妨害となる。したがって、このようなトレーの揺れ防止構造はよりスリムな光ディスクドライブを具現するのに適していない。
【００１６】
【発明が解決しようとする課題】
本発明は前記のような従来の技術の問題点を解決するために案出されたものであって、特にスリム型光ディスクドライブの狭い空間に設置されながらも十分な強度を維持して振動や衝撃によるトレーの揺れを防止できる光ディスクドライブのトレーガイド構造体を提供するのにその目的がある。
【００１７】
【課題を解決するための手段】
前記目的を達成するために本発明による光ディスクドライブのトレーガイド構造体は、下部ケースと上部ケースとよりなるハウジング内に出入可能に設置されたトレーの往復移動をガイドするための光ディスクドライブのトレーガイド構造体において、
前記下部ケースの両側に各々摺動可能に設置されるガイドレールと、
前記ガイドレールがその往復移動経路を離脱しないように支持するために前記下部ケースの両側に各々設けられるガイドレール支持手段と、
前記トレーの両側にその往復移動方向に長く形成され、前記ガイドレールに摺動可能に結合されるレール結合部と、
前記トレーが前記ハウジングから離脱しないように前記ガイドレールと前記トレーの取出し方向の移動距離を制限する前方移動距離の制限手段と、
前記トレーが前記ハウジング内に挿入された状態で前記トレーを各々垂直方向と水平方向とに拘束して前記トレーの垂直及び水平方向の動きを防止する垂直拘束手段と水平拘束手段とを具備し、
前記ガイドレールは、前記レール結合部を収容する形状を有して前記レール結合部に摺動可能に接触されるレールと、前記レールの外側に固定結合されて前記下部ケースに摺動可能に接触されるレールカバーとが、二重構造とされた構成とし、
かつ、前記レールカバーに前記垂直拘束手段と水平拘束手段とが突出形成されることを特徴とする。
【００１８】
ここで、前記ガイドレール支持手段は、前記ガイドレールの上面に接触される複数の上面支持板と、前記ガイドレールの一側面に接触される複数の側面支持板を含むことが望ましい。
【００１９】
そして、前記レールは金属プレス物よりなり、前記レールカバーはプラスチック射出物よりなることが望ましい。
【００２０】
また、前記レールと前記レールカバーは、前記レールカバーの内面にその長さ方向に所定間隔をおいて突設された複数のラッチと、前記レールに形成されて前記複数のラッチが各々一つずつ挿入される複数のラッチホールとにより結合され、あるいは、接着剤により互いに接着されることによって結合される。
【００２１】
前記前方移動距離の制限手段は、前記レールの前端部に前記レールの下板から所定高さ突設されて前記トレーがディスク着脱位置に至れば、前記レール結合部の後端部内に突設された係止片がかかることによって前記トレーの前方移動距離を制限する第１ストッパーと、前記レールカバーの上面に突出して前記ガイドレールが前方に所定距離移動すれば、前記ガイドレール支持手段にかかることによって前記ガイドレールの前方移動距離を制限する第２ストッパーとを具備することが望ましい。
【００２２】
そして、前記ガイドレールの後端部には、前記トレーが後方に移動する時に前記トレーのレール結合部の後端を止めて前記ガイドレールも共に移動させるための第３ストッパーが設けられる。
【００２３】
ここで、前記第２ストッパーと前記第３ストッパーとは、プラスチック射出物で一体に形成されて前記ガイドレールの後端部に組立てられる。
【００２４】
前記垂直拘束手段は、前記レールカバー後端部に設けられる第１弾性板の上面に突設された第１垂直突起と、前記下部ケースの背壁に前方に突設され、前記トレーが前記ハウジングに挿入された状態で前記第１垂直突起と接触して前記第１垂直突起を下方に押す第１支持板とを具備することが望ましい。
【００２５】
そして、前記垂直拘束手段は、前記ガイドレールの前記レールカバー前端部に設けられる第２弾性板の底面に下方に突設され、前記トレーが前記ハウジングに挿入された状態で前記レール結合部の前端部の上面を押す第２垂直突起をさらに具備する。
【００２６】
また、前記垂直拘束手段は、前記レール結合部前端部の上面に突設されて前記第２垂直突起と相接する第３垂直突起をさらに具備する。
【００２７】
また、前記垂直拘束手段は、前記トレーの後端部上面に突設された第１支持突起と、前記上部ケースの後端部底面に下方へ突設されて前記トレーが前記ハウジング内に挿入された状態で前記第１支持突起と相接する第２支持突起とをさらに具備することが望ましい。
【００２８】
ここで、前記第１支持突起は少なくとも前記トレーの両側端部に隣接した部位に各々一つずつ設けられ、前記第２支持突起も前記第１支持突起と対応する部位に各々一つずつ設けられる。
【００２９】
前記水平拘束手段は、前記下部ケースの両側に設置された前記ガイドレールのうち少なくともいずれか一側のガイドレールのレールカバー後端部に設けられた第１弾性板の内面に突設されて、前記トレーが前記ハウジングに挿入された状態で前記トレーの後端部の外側面を押す第１水平突起を具備することが望ましい。
【００３０】
そして、前記水平拘束手段は、前記下部ケースの両側に設置された前記ガイドレールのうち少なくともいずれか一側のガイドレールのレールカバー前端部に設けられた第２弾性板の内面に突設されて、前記トレーが前記ハウジングに挿入された状態で前記トレーの前端部の外側面を押す第２水平突起をさらに具備する。
【００３１】
また、前記水平拘束手段は、前記トレーの前端部外側面に突設されて前記第２水平突起と相接する第５水平突起をさらに具備する。
【００３２】
さらに、前記水平拘束手段は、前記少なくとも一側ガイドレールのレールカバー後端部に設けられた第３弾性板の外側面に突設された第３水平突起と、前記下部ケースの少なくとも一側壁に内側に突設されて、前記トレーが前記ハウジングに挿入された状態で前記第３水平突起と接触して前記第３水平突起を内側に押す第２支持板とを含むことが望ましい。
【００３３】
そして、前記水平拘束手段は、前記少なくとも一側ガイドレールのレールカバー前端部に設けられた第４弾性板の外側面に突設されて、前記トレーが前記ハウジングに挿入された状態で前記下部ケースの側壁内面を押す第４水平突起をさらに含む。
【００３４】
一方、前記下部ケースの一側壁に形成されたコンピュータ装着用ねじ孔と前記ガイドレールとの干渉を避けるために前記下部ケースの一側壁面には所定厚さのスペーサが付着される。
【００３５】
このような構成によれば、ガイドレールがレールとレールカバーとが密着結合された二重構造になっているので十分な強度を維持しながらも狭い空間に容易に設置でき、振動や衝撃によるトレーの垂直及び水平方向の振動や揺れを防止できる。
【００３６】
【発明の実施の形態】
以下、添付した図面を参照しながら本発明の望ましい実施例による光ディスクドライブのトレーガイド構造体を詳細に説明する。
【００３７】
図５は、本発明によるトレーガイド構造体が採用されたスリム型光ディスクドライブを示す分離斜視図である。光ディスクドライブは下部ケース１１０と上部ケース１２０とよりなるハウジング１００と、ハウジング１００に出入可能に設置されるトレー１３０とを具備する。ハウジング１００はスリム型光ディスクドライブが採用された電子機器、例えば、コンピュータ、特にノート型パソコンの本体内に固定設置される。トレー１３０にはメーンベース１４０が結合されている。メーンベース１４０にはディスクを回転させるためのスピンドルモータ１５０と、回転するディスクに記録されたデータを再生するための光ピックアップユニット１６０と、光ピックアップユニット１６０をディスク半径方向に往復移送するための移送装置（図示せず）とが設置されている。このようにトレー１３０にはスピンドルモータ１５０と光ピックアップユニット１６０とが設置されており、これらは共にハウジング１００に出入する。一方、ハウジング１００の内部とトレー１３０の底面には、図示されていないが、トレー１３０をハウジング１００内にロッキングするためのロッキング装置と、トレー１３０をハウジング１００から取出すための取出し装置が設置されており、トレー１３０の前面ベゼル１７０には取出し装置を作動させるための取出しボタン１７２が設けられている。
【００３８】
そして、光ディスクドライブにはハウジング１００内に出入可能に設置されたトレー１３０の往復移動をガイドするトレーガイド構造体が設けられる。本発明によるトレーガイド構造体は、下部ケース１１０の両側すみに各々摺動可能に設置されるガイドレール１８０、１９０と、トレー１３０の両側にその往復移動方向に長く形成されて前記ガイドレール１８０、１９０に摺動可能に結合されるレール結合部１３１、１３２とを具備する。そして、ガイドレール１８０、１９０がその往復移動経路を離脱しないように支持するための手段として、下部ケース１１０の両側には各々ガイドレール１８０、１９０の上面に接触される複数の上面支持板１１２、１１４とガイドレール１８０、１９０の一側面に接触される複数の側面支持板１１１、１１３とが設けられる。したがって、ガイドレール１８０、１９０は下部ケース１１０の下板と側板及び上面支持板１１２、１１４と側面支持板１１１、１１３とにより限定される空間内部で前後に往復移動する。
【００３９】
図６Ａは、図５に示された左側ガイドレールを詳細に示す斜視図であり、図６Ｂは、図５に示された左側ガイドレールの変形例を示す斜視図である。そして、図７は、図６ＡのＸ−Ｘ線に沿う左側ガイドレールの断面図である。
【００４０】
まず、図６Ａと図７とを参照すれば、左側ガイドレール１８０は、トレー１３０のレール結合部１３１に摺動可能に接触されるレール１８１と、レール１８１の外側に結合されて下部ケース１１０に摺動可能に接触されるレールカバー１８２とを具備する。レール１８１はトレー１３０のレール結合部１３１を収容できるように“コ”状になっており、トレー１３０を支持できるように高強度の金属プレス物よりなる。レールカバー１８２はレール１８１の外側に結合されて固定されるが、このために、レールカバー１８２の内面にはその長さ方向に所定間隔をおいて複数のラッチ１８２ａが突設され、レール１８１にはこのラッチ１８２ａが挿入される複数のラッチホール１８１ａが形成される。一方、レールカバー１８２とレール１８１との結合は、ラッチ１８２ａとラッチホール１８１ａによらずに接着剤を使用して互いに接着させることによってなることもある。そして、レールカバー１８２は下部ケース１１０と直接接触して摺動するが、この時に発生する摩擦音を減らすためにプラスチック射出物よりなる。また、このようにレールカバー１８２がプラスチック射出物よりなるために後述する手段をレールカバー１８２に一体に形成できる。
【００４１】
前述したように、本願発明では左側ガイドレール１８０がレール１８１とレールカバー１８２とが密着結合された二重構造になっているので、その強度が向上してトレー１３０がハウジング１００から取出された状態でもこれを強固に支持できる。また、レールカバー１８２もレール１８１に密着結合されるので、図１に示された従来の光ディスクドライブで別途に設置される固定ガイド（図１の３３、３４）より薄く、例えば０.５〜０.８ｍｍの厚さになって左側ガイドレール１８０の全体高さが低くなり、これによりもっとスリムな光ディスクドライブを具現できる。
【００４２】
そして、左側ガイドレール１８０にはトレー１３０と左側ガイドレール１８０の前方移動距離を制限するための前方移動距離の制限手段が設けられる。前記前方移動距離の制限手段には、トレー１３０の前方（矢印Ｆ方向）、すなわち、トレー１３０の取出し方向の移動距離を制限する第１ストッパー１８３と、左側ガイドレール１８０の前方（矢印Ｆ方向）移動距離を制限する第２ストッパー１８４ａとが備えられる。また、左側ガイドレール１８０にはトレー１３０が後方（矢印Ｒ方向）、すなわち、トレー１３０の挿入方向に移動する時に左側ガイドレール１８０も共に移動させるための手段として第３ストッパー１８４ｂが備えられる。
【００４３】
第１ストッパー１８３は、レール１８１の前端部にレール１８１の下板から所定高さ突設される。そして、第２ストッパー１８４ａと第３ストッパー１８４ｂはプラスチック射出により一体に形成され、これによりストッパー組立体１８４をなす。ストッパー組立体１８４は左側ガイドレール１８０の後端部に設置される。具体的に、ストッパー組立体１８４はレールカバー１８２の後端部に形成された結合溝１８２ｂに挿入され、締結ねじ１８４ｃによりレールカバー１８２に固定されるように組立てられる。このようにストッパー組立体１８４がレールカバー１８２に組立てられた状態で、第２ストッパー１８４ａはレールカバー１８２の上面に突出し、第３ストッパー１８４ｂはレール１８１の内部に位置する。
【００４４】
一方、ストッパー組立体１８４は上から締結ねじ１８４ｃによりレールカバー１８２に組立てられると説明された。しかし、ストッパー組立体１８４をレールカバー１８２に組立てる方式はいろいろがありえる。例えば、図７に示されたレール１８１とレールカバー１８２との結合方式のようなスナッピング方式によりストッパー組立体１８４をレールカバー１８２に組立てることもある。
【００４５】
以下、図５、図６Ａ及び図８を参照して前記第１、第２及び第３ストッパー１８３、１８４ａ、１８４ｂの作用を説明する。
【００４６】
ハウジング１００内部に挿入されているトレー１３０が取出される場合には、まず、トレー１３０と左側ガイドレール１８０とが共に前方（矢印Ｆ方向）に移動する。トレー１３０と左側ガイドレール１８０とが前方に所定距離移動すれば左側ガイドレール１８０の第２ストッパー１８４ａが上面支持板１１２にかかって左側ガイドレール１８０はそれ以上前方に移動できなくなる。
【００４７】
その次にはトレー１３０だけ左側ガイドレール１８０に沿って前方に摺動移動する。トレー１３０がディスク着脱位置に至れば、左側ガイドレール１８０の第１ストッパー１８３がトレー１３０がそれ以上前方移動することを防止する。図８を参照して再び説明すれば、トレー１３０のレール結合部１３１の後端部内には係止片１３３が突設されており、この係止片１３３が、トレー１３０がディスク着脱位置に到達した時に左側ガイドレール１８０の第１ストッパー１８３にかかってトレー１３０がそれ以上前方に移動できなくなる。
【００４８】
前記のように第１ストッパー１８３と第２ストッパー１８４ａはトレー１３０と左側ガイドレール１８０の前方移動距離を制限するため、トレー１３０と左側ガイドレール１８０が前方に過度に移動してハウジング１００から離脱することが防止される。
【００４９】
一方、取出されたトレー１３０がハウジング１００内部に挿入される場合には、まずトレー１３０が左側ガイドレール１８０に沿って後方（矢印Ｒ方向）に摺動移動する。トレー１３０のレール結合部１３１の後端が左側ガイドレール１８０の後端部に設置された第３ストッパー１８４ｂに接触すれば、この時からはトレー１３０と左側ガイドレール１８０とが共に後方に移動してハウジング１００内に完全に挿入される。
【００５０】
また図６Ａを参照すれば、本発明によるトレーガイド構造体にはトレー１３０と左側ガイドレール１８０の垂直振動や揺れを防止するためにトレー１３０と左側ガイドレール１８０を垂直方向に拘束する垂直拘束手段が備わる。前記垂直拘束手段は、左側ガイドレール１８０のレールカバー１８２の後端部に形成されて第１垂直突起１８５ａを有する第１弾性板１８５と、レールカバー１８２の前端部に形成されて第２垂直突起１８６ａを有する第２弾性板１８６とを含む。第１弾性板１８５はレールカバー１８２の上板が後方に所定長さ延びたものである。第１弾性板１８５の幅はレールカバー１８２の幅より狭い。第１垂直突起１８５ａは第１弾性板１８５の上面に突設される。第２弾性板１８６はレールカバー１８２の上板が前方に所定長さ延びたものである。第２弾性板１８６の幅はレーンカバー１８２の幅より狭い。第２垂直突起１８６ａは第２弾性板１８６の底面に下方に突設される。そして、前記垂直拘束手段は、図９に示されたように、下部ケース１１０の背壁に前方に突設された第１支持板１１６を含み、また図１０に示されたように、トレー１３０のレール結合部１３１の前端部の上面に突設された第３垂直突起１３５を含みうる。第１支持板１１６は下部ケース１１０の背壁一部を前方に折曲することによって形成できる。
【００５１】
一方、前記垂直拘束手段は、図６Ｂに示されたように、左側ガイドレール１８０の前方には設けられずに後方にのみ設けられることもある。すなわち、図６Ｂに示された左側ガイドレール１８０にはレールカバー１８２の後端部に形成された第１弾性板１８５とその上面に形成された第１垂直突起１８５ａとだけ備わる。
【００５２】
以下、前記のような構成を有する垂直拘束手段の作用を図６Ａ、図９及び図１０を参照して説明する。まず図９を参照すれば、トレー１３０がハウジング１００内に完全に挿入されれば、レールカバー１８２の第１弾性板１８５に形成された第１垂直突起１８５ａは下部ケース１１０の背板に形成された第１支持板１１６の底面と相接する。この状態で第１垂直突起１８５ａは第１支持板１１６により第１弾性板１８５が下方に多少曲がる程に押されることによって、左側ガイドレール１８０は下部ケース１１０に対してその垂直方向の動きが拘束される。このように第１垂直突起１８５ａが第１支持板１１６により押されることは、第１弾性板１８５の変形により発生する弾性回復力の反作用によるものである。
【００５３】
次いで図１０を参照すれば、トレー１３０が矢印Ｒ方向に移動してハウジング１００内に完全に挿入されれば、レールカバー１８２の第２弾性板１８６に形成された第２垂直突起１８６ａはトレー１３０のレール結合部１３１の上面に形成された第３垂直突起１３５に相接し、これにより第２弾性板１８６は多少上側に曲がる。このような変形により発生する第２弾性板１８６の弾性回復力により第２垂直突起１８６ａが第３垂直突起１３５を下方に押すことによって、トレー１３０は左側ガイドレール１８０に対してその垂直方向の動きが拘束される。
【００５４】
前記のように、垂直拘束手段によりトレー１３０は左側ガイドレール１８０に対してその垂直方向動きが拘束され、左側ガイドレール１８０は再び下部ケース１１０に対してその垂直方向の動きが拘束されることによって、結果的にトレー１３０のハウジング１００に対する垂直方向の動きが拘束される。したがって、光ピックアップユニットによるデータ読出しにおいてエラーが発生せずに振動騷音が顕著に減る。また、第１及び第２弾性板１８５、１８６はプラスチック射出物よりなって所定の弾性を有するので外部の衝撃に対して緩衝作用をする。
【００５５】
図１１Ａは、図５に示された右側ガイドレールを詳細に示す斜視図であり、図１１Ｂは、図５に示された右側ガイドレールの変形例を示す斜視図である。そして、図１２と図１３は、各々図１１Ａに示された右側ガイドレールの後端部と前端部とを他の方向から眺めた部分拡大斜視図である。ここで、右側ガイドレール１９０は後述する水平拘束手段を除いては前述した左側ガイドレール（図６Ａの１８０）と同一なので、右側ガイドレール１９０については水平拘束手段を中心に説明するが、それ以外の構成要素とその作用については簡単に説明するか、その説明を省略する。
【００５６】
図１１Ａと図１２及び図１３を参照すれば、右側ガイドレール１９０はトレー１３０の右側レール結合部１３２に直接接触してこれを収容できるように“コ”状の金属プレス物よりなるレール１９１と、レール１９１の外側に結合されてプラスチック射出物よりなるレールカバー１９２とを具備する。レール１９１とレールカバー１９２とは図７に示された方式と同じ方式で結合されることもあり、接着剤を使用して互いに接着されることもある。このようなガイドレール１９０の構造は前述したようにさらにスリムな光ディスクドライブを具現できるようにする。
【００５７】
このような構造を有する右側ガイドレール１９０にはトレー１３０とガイドレール１９０の前方移動距離を制限するための前方移動距離の制限手段として、トレー１３０の前方（矢印Ｆ方向）移動距離を制限する第１ストッパー１９３と、ガイドレール１９０の前方移動距離を制限する第２ストッパー１９４ａとが備わる。また、右側ガイドレール１９０にはトレー１３０が後方（矢印Ｒ方向）に移動する時にガイドレール１９０も共に移動させるための手段として第３ストッパー１９４ｂが備わる。第１ストッパー１９３はレール１９１の前端部にレール１９１の下板から所定高さ突設される。第２ストッパー１９４ａと第３ストッパー１９４ｂはプラスチック射出により一体に形成されてストッパー組立体１９４をなし、これはガイドレール１９０の後端部に組立てられる。このような第１、第２及び第３ストッパー１９３、１９４ａ、１９４ｂの作用は前述した左側ガイドレール（図６Ａの１８０）と同一なのでその説明は省略する。
【００５８】
そして、本発明によれば、光ディスクドライブの右側にもトレー１３０とガイドレール１９０を垂直方向に拘束する垂直拘束手段が設けられる。前記垂直拘束手段は、右側ガイドレール１９０のレールカバー１９２の後端部に延設されてその上面に第１垂直突起１９５ａが突設された第１弾性板１９５と、レールカバー１９２の前端部に延設されてその底面に第２垂直突起１９６ａが突設された第２弾性板１９６とを含む。そして、前記垂直拘束手段は、図１４に示されたように、下部ケース１１０の背壁に前方に突設された第１支持板１１７を含み、また図１５に示されたように、トレー１３０の右側レール結合部１３２の前端部の上面に突設された第３垂直突起１３６を含むこともある。
【００５９】
また、図１１Ａと図１２及び図１３を参照すれば、本発明によるトレーガイド構造体にはトレー１３０の水平振動や揺れを防止するためにトレー１３０を水平方向に拘束する水平拘束手段が備わる。前記水平拘束手段は、右側ガイドレール１９０のレールカバー１９２の後端部に延設された第１弾性板１９５に突設された第１水平突起１９５ｂと、レールカバー１９２の前端部に延設された第２弾性板１９６に突設された第２水平突起１９６ｂとを含む。第１水平突起１９５ｂは第１弾性板１９５の側面内、すなわち、トレー１３０側に突設され、第２水平突起１９６ｂも第２弾性板１９６の側面内に突設される。そして、前記水平拘束手段は、右側ガイドレール１９０のレールカバー１９２の後端部に延設される第３弾性板１９７に突設された第３水平突起１９７ａと、レールカバー１９２の前端部に延設される第４弾性板１９８に突設された第４水平突起１９８ａとをさらに具備できる。第３弾性板１９７はレールカバー１９２の側板幅より狭い幅で後方に所定長さ延びることによって形成され、第３水平突起１９７ａは第３弾性板１９７の外側面、すなわち、下部ケース１１０の側壁側に突設される。第４弾性板１９８はレールカバー１９２の側板幅より狭い幅で前方に所定長さ延びることによって形成され、第４水平突起１９８ａも第４弾性板１９８の外側面に突設される。また、前記水平拘束手段は、図１４に示されたように、下部ケース１１０の右側壁内に突設された第２支持板１１８と、図１５に示されたように、トレー１３０の前端部の右側面外側に突設された第５水平突起１３７とを含みうる。第２支持板１１８は下部ケース１１０の側壁一部を内側に折曲することによって形成される。
【００６０】
一方、前記垂直拘束手段と水平拘束手段は、図１１Ｂに示されたように、右側ガイドレール１９０の前方には備えられずに後方にのみ備えられることもある。すなわち、図１１Ｂに示されたガイドレール１９０にはレールカバー１８２の後端部に形成された第１弾性板１８５と第３弾性板１９７及びその各々に形成された第１垂直突起１８５ａと第１水平突起１９５ｂと第３水平突起１９７ａとだけ備わる。以下、図１１Ａに示されたガイドレール１９０を基準に垂直拘束手段及び水平拘束手段の作用を説明する。
【００６１】
以下、前記のような構成を有する垂直拘束手段と水平拘束手段の作用を図１４と図１５を参照して説明する。ところで、前記垂直拘束手段の作用は前述した左側ガイドレール（図５の１８０）と同一なので簡単に説明する。
【００６２】
まず図１４を参照すれば、トレー１３０がハウジング１００内に完全に挿入されれば、レールカバー１９２の第１弾性板１９５に形成された第１垂直突起１９５ａは下部ケース１１０の背壁に形成された第１支持板１１７の底面と相接する。この状態で第１垂直突起１９５ａは第１支持板１１７により押されるために、左側ガイドレール１８０とトレー１３０の垂直方向の動きが拘束される。
【００６３】
そして、トレー１３０がハウジング１００内に完全に挿入されれば、レールカバー１９２の第１弾性板１９５の側面に形成された第１水平突起１９５ｂはトレー１３０の右側面と相接してトレー１３０を左に押す。また、レールカバー１９２の第３弾性板１９７の外側面に形成された第３水平突起１９７ａは下部ケース１１０の側壁に形成された第２支持板１１８の内面と相接する。この状態で第３水平突起１９７ａは第２支持板１１８により第３弾性板１９７が左に多少曲がる程に押され、これによりガイドレール１９０はその水平方向の動きが拘束される。
【００６４】
次いで図１５を参照すれば、トレー１３０が矢印Ｒ方向に移動してハウジング１００内に完全に挿入されれば、レールカバー１９２の第２弾性板１９６の底面に形成された第２垂直突起１９６ａがトレー１３０のレール結合部１３２の上面に形成された第３垂直突起１３６と相接して第３垂直突起１３６を下方に押すことによって、トレー１３０の垂直方向の動きが拘束される。
【００６５】
そして、トレー１３０がハウジング１００内に完全に挿入されれば、レールカバー１９２の第２弾性板１９６の側面に形成された第２水平突起１９６ｂはトレー１３０の右側面に形成された第５水平突起１３７と相接して第５水平突起１３７を左に押す。また、レールカバー１９２の第４弾性板１９８の外側面に形成された第４水平突起１９８ａは下部ケース１１０の側壁内面と相接し、これにより第４弾性板１９８は多少左に曲がる。このような変形により第４弾性板１９８はその内面がトレー１３０のレール結合部１３２の外側面に密着されてトレー１３０を左に押す。このように、第２水平突起１９６ｂと第５水平突起１３７とが密着され、トレー１３０のレール結合部１３２の外側面と第４弾性板１９８の内面とが密着されるにつれて、トレー１３０の水平方向の動きが拘束される。
【００６６】
一方、前記水平拘束手段は右側ガイドレール１９０とその周囲に設けられてトレー１３０を左に密着して拘束すると上で図示されて説明された。しかし、本発明による水平拘束手段は、トレー１３０を右に密着して拘束するために図６Ａまたは図６Ｂに示された左側ガイドレール１８０とその周辺に設けられることもある。
【００６７】
図１６は、トレーと上部ケースに設けられた垂直拘束手段を説明するための図面であって、図５に示された支持突起部位の垂直断面図である。前記垂直拘束手段はトレー１３０の後端部上面に突設された第１支持突起１３８と、上部ケース１２０の後端部底面に下方へ突設された第２支持突起１２８とをさらに具備しうる。第１支持突起１３８はトレー１３０の中心線上に一つだけ設けられることもあり、複数が所定間隔をおいて配置されることもあるが、図示されたように、トレー１３０の両側端部に隣接した部位に各々一つずつ設けられることが望ましい。第２支持突起１２８は第１支持突起１３８と対応する位置に形成されて、トレー１３０がハウジング１００内に完全に挿入された状態で第１支持突起１３８と相接して第１支持突起１３８を下方に押す。これにより、ハウジング１００内に挿入された状態のトレー１３０は垂直方向に振動したり揺れなくなる。
【００６８】
図１７は、下部ケースの右側壁内面にスペーサが付着された状態を示す部分斜視図である。下部ケース１１０の右側すみには右側ガイドレール１９０が摺動可能に設置されている。前述したように、ガイドレール１９０は上面支持板１１４と側面支持板１１３とによりその往復移動がガイドされ、またレールカバー１９２の上側に突出した第２ストッパー１９４ａが上面支持板１１４にかかることによってガイドレール１９０の前方移動距離が制限される。
【００６９】
ところで、下部ケース１１０の右側壁にはハードディスクドライブをコンピュータ内に装着するためのねじ孔１１９が設けられうる。この場合、ねじ孔１１９は下部ケース１１０の右側壁内に所定高さ突出するために右側ガイドレール１９０の摺動移動を妨害する。したがって、ねじ孔１１９とガイドレール１９０の干渉を避けるために下部ケース１１０の右側壁の内面にはスペーサ２００が付着される。スペーサ２００は少なくともねじ孔１１９の突出高さより厚い。そして、スペーサ２００はガイドレール１９０との摩擦騷音を減らすことができ、下部ケース１１０の右側壁面に接着が容易で軽いプラスチック材料、例えば、テフロン（登録商標）で作りうる。したがって、ガイドレール１９０はスペーサ２００と接触して摺動移動するのでねじ孔１１９とは干渉しない。
【００７０】
一方、ねじ孔１１９は下部ケース１１０の左側壁に設けられることもあり、この場合にはスペーサ２００は下部ケース１１０の左側壁の内面に付着される。
【００７１】
【発明の効果】
以上、説明されたように本発明によるトレーガイド構造体は次のような効果を有する。
【００７２】
第一に、ガイドレールがレールとレールカバーとが密着結合された二重構造になっていて、その強度が向上してトレーを強固に支持でき、プラスチック射出物よりなるレールカバーがより薄くなってガイドレール全体高さが低くなる。したがって、スリム型光ディスクドライブの狭い空間にも容易に適用でき、またさらにスリムな光ディスクドライブを具現できる。
【００７３】
第二に、トレーの垂直及び水平方向の振動や揺れを防止する垂直拘束手段と水平拘束手段とが設けられるため、光ピックアップユニットによるデータ読出しにおいてエラーが発生せずに振動騷音が顕著に減る。また、前記垂直拘束手段と水平拘束手段とにはプラスチック射出物よりなって所定の弾性を有する弾性板が備わるため、外部の衝撃に対して緩衝作用をする長所もある。
【００７４】
第三に、本発明によるトレー定着構造体はガイドレール以外に別に付加的な部品が使われないため、光ディスクドライブ全体の重量を減らすことができて製造コストも低めうる。
【００７５】
本発明は開示された実施例を参照して説明されたが、これは例示的なものに過ぎず、当業者であればこれより多様な変形及び均等な他実施例が可能であるという点を理解できる。したがって、本発明の真の技術的保護範囲は特許請求の範囲により決まらねばならない。
【図面の簡単な説明】
【図１】従来の光ディスクドライブの一例を示す斜視図である。
【図２】図１に示された光ディスクドライブの左側と右側のトレーガイド構造を示す斜視図である。
【図３】図１に示された光ディスクドライブの左側と右側のトレーガイド構造を示す斜視図である。
【図４Ａ】従来の光ディスクドライブの他の例でトレーの揺れを防止する構造を説明するための図である。
【図４Ｂ】従来の光ディスクドライブの他の例でトレーの揺れを防止する構造を説明するための図である。
【図４Ｃ】従来の光ディスクドライブの他の例でトレーの揺れを防止する構造を説明するための図である。
【図５】本発明によるトレーガイド構造体が採用された光ディスクドライブを示す分離斜視図である。
【図６Ａ】図５に示された左側ガイドレールを詳細に示す斜視図である。
【図６Ｂ】図５に示された左側ガイドレールの変形例を示す斜視図である。
【図７】図６ＡのＸ−Ｘ線に沿う左側ガイドレールの断面図である。
【図８】本発明によるトレーガイド構造体の移動距離の制限手段を説明するためにトレーを返して眺めたトレーの左側後端部の部分斜視図である。
【図９】本発明によるトレーガイド構造体の垂直拘束手段を説明するための図であって、ハウジング内に挿入された状態の左側ガイドレールの後端部を示す部分斜視図である。
【図１０】本発明によるトレーガイド構造体の垂直拘束手段を説明するための図であって、トレーの左側前端部を示す部分斜視図である。
【図１１Ａ】図５に示された右側ガイドレールを詳細に示す斜視図であり、
【図１１Ｂ】図５に示された右側ガイドレールの変形例を示す斜視図である。
【図１２】図１１Ａに示された右側ガイドレールの後端部を他の方向から眺めた部分拡大斜視図である。
【図１３】図１１Ａに示された右側ガイドレールの前端部を他の方向から眺めた部分拡大斜視図である。
【図１４】本発明によるトレーガイド構造体の垂直拘束手段と水平拘束手段を説明するための図であって、ハウジング内に挿入された状態の右側ガイドレールの後端部を示す部分斜視図である。
【図１５】本発明によるトレーガイド構造体の垂直拘束手段と水平拘束手段を説明するための図であって、トレーの右側前端部を示す部分斜視図である。
【図１６】トレーと上部ケースに設けられた垂直拘束手段を説明するための図であって、図５に示された支持突起部位の垂直断面図である。
【図１７】下部ケースの右側壁内面にスペーサが付着された状態を示す部分斜視図である。
【符号の説明】
１００  ハウジング
１１０  下部ケース
１１１、１１３  側面支持板
１１２、１１４  上面支持板
１２０  上部ケース
１３０  トレー
１３１、１３２  レール結合部
１４０  メーンベース
１５０  スピンドルモータ
１６０  光ピックアップユニット
１８０、１９０  ガイドレール
【図１】
0003768469.tif 000002
【図２】
0003768469.tif 000003
【図３】
0003768469.tif 000004
【図４Ａ】
0003768469.tif 000005
【図４Ｂ】
0003768469.tif 000006
【図４Ｃ】
0003768469.tif 000007
【図５】
0003768469.tif 000008
【図６Ａ】
0003768469.tif 000009
【図６Ｂ】
0003768469.tif 000010
【図７】
0003768469.tif 000011
【図８】
0003768469.tif 000012
【図９】
0003768469.tif 000013
【図１０】
0003768469.tif 000014
【図１１Ａ】
0003768469.tif 000015
【図１１Ｂ】
0003768469.tif 000016
【図１２】
0003768469.tif 000017
【図１３】
0003768469.tif 000018
【図１４】
0003768469.tif 000019
【図１５】
0003768469.tif 000020
【図１６】
0003768469.tif 000021
【図１７】
0003768469.tif 000022